(57)【要約】【課題】スラリーの注入点までの距離が長い場合や注入速度が遅い場合であっても、配管内の詰まりを生じることなくスラリーを定量的に添加することができるとともに、定期的な洗浄作業等のメンテナンスが不要なスラリーの定量添加方法を提供すること。【解決手段】スラリー原液２をスラリー原液タンク１からスネークポンプ４で定量切り出し、この切り出されたスラリー原液２にその量以上の希釈水を加え、両者をモノフレックスポンプ（弾性インペラとケーシングとの間にクリアランスが無い自給式ポンプ）６で混合しながら移送することによって、所定濃度のスラリーを被処理物に定量添加することを特徴とする。ここで、前記スラリーは、消石灰、水酸化マグネシウム又は酸化マグネシウムを固形物として含む。【選択図】図１
2005342589.tif 000002
【特許請求の範囲】
【請求項１】
スラリー原液をスネークポンプで定量切り出し、この切り出されたスラリー原液にその量以上の希釈水を加え、両者を、弾性インペラとケーシングとの間にクリアランスが無い自給式ポンプで混合しながら移送することによって、所定濃度のスラリーを被処理物に定量添加することを特徴とするスラリーの定量添加方法。
【請求項２】
前記スラリーは、消石灰、水酸化マグネシウム又は酸化マグネシウムを固形物として含むことを特徴とする請求項１記載のスラリーの定量添加方法。
【請求項３】
スラリー原液を水で希釈して成る所定濃度のスラリーを移送して被処理物に定量添加するスラリーの定量添加装置であって、
スラリータンク又はスラリー循環ラインからスラリー原液を定量切り出すスネークポンプと、該スネークポンプの出口側に設けられた希釈水入口部と、該希釈水入口部の下流に配置された、弾性インペラとケーシングとの間にクリアランスが無い自給式ポンプを含んで構成されることを特徴とするスラリーの定量添加装置。
【請求項４】
前記スラリーは、消石灰、水酸化マグネシウム又は酸化マグネシウムを固形物として含むことを特徴とする請求項３記載のスラリーの定量添加装置。
【請求項５】
前記スネークポンプと前記スラリータンク又はスラリー循環ラインとを接続する配管の長さを可及的に短く設定したことを特徴とする請求項３又は４記載のスラリーの定量添加装置。
【発明の詳細な説明】
【技術分野】
【０００１】
本発明は、スラリー原液を水で希釈して成る薬液としてのスラリーを排水や廃棄物等の被処理物に定量添加するための方法及び装置に関するものである。
【背景技術】
【０００２】
排水処理や廃棄物処理に用いられる薬剤としての消石灰スラリーや水酸化マグネシウムスラリー等は、通常、その保管場所やデリバリー等を考慮して、取り扱いに支障が生じない最高濃度（高粘度）で利用される。
【０００３】
ところが、最高濃度（高粘度）のスラリーを移送するためには、高圧ポンプと高圧に耐え得る高圧用配管が必要があるため、機械設備が高額となり、結果として施工コストが上昇する（特許文献１参照）。
【０００４】
又、最高濃度（高粘度）のスラリーを詰まりなく定量的に移送し、被処理物である排水や飛灰等の廃棄物に添加することは容易ではない。
【０００５】
スラリーの定量添加方法としては、従来、次の方法が知られている。
【０００６】
１）スラリーをスラリーポンプで高速で循環させながら該スラリー中の固形分を分散させておき、循環ラインに設けられた開閉弁の開閉によってスラリーを排水や廃棄物等の被処理物に添加する方法
２）粘度の高いスラリーの移送が可能なスネークポンプで高粘度のスラリーを排水や廃棄物等の被処理物に直接添加する方法
【特許文献１】特開平１０−２６５２５７号公報
【発明の開示】
【発明が解決しようとする課題】
【０００７】
しかしながら、前記１）の方法は定量性に欠け、又、前記２）の方法では、注入点までの配管を長くせざるを得ない場合や注入速度が遅い場合、移送中のスラリーに含まれる固形物の沈澱等によって配管内の詰まりが避けられず、配管の定期的な洗浄作業等が必要でメンテナンスが大変であるという問題があった。
【０００８】
本発明は上記問題に鑑みてなされたもので、その目的とする処は、スラリーの注入点までの距離が長い場合や注入速度が遅い場合であっても、配管内の詰まりを生じることなく、スラリーを定量的に添加することができるとともに、定期的な洗浄作業等のメンテナンスが不要なスラリーの定量添加方法及び定量添加装置を提供することにある。
【課題を解決するための手段】
【０００９】
上記目的を達成するため、請求項１記載の発明は、スラリー原液をスネークポンプで定量切り出し、この切り出されたスラリー原液にその量以上の希釈水を加え、両者を、弾性インペラとケーシングとの間にクリアランスが無い自給式ポンプで混合しながら移送することによって、所定濃度のスラリーを被処理物に定量添加することを特徴とする。
【００１０】
請求項２記載の発明は、請求項１記載の前記スラリーは、消石灰、水酸化マグネシウム又は酸化マグネシウムを固形物として含むことを特徴とする。
【００１１】
請求項３記載の発明は、スラリー原液を水で希釈して成る所定濃度のスラリーを移送して被処理物に定量添加するスラリーの定量添加装置を、スラリータンク又はスラリー循環ラインからスラリー原液を定量切り出すスネークポンプと、該スネークポンプの出口側に設けられた希釈水入口部と、該希釈水入口部の下流に配置された、弾性インペラとケーシングとの間にクリアランスが無い自給式ポンプを含んで構成したことを特徴とする。
【００１２】
請求項４記載の発明は、請求項３記載の前記スラリーは、消石灰、水酸化マグネシウム又は酸化マグネシウムを固形物として含むことを特徴とする。
【００１３】
請求項５記載の発明は、請求項３又は４記載の発明において、前記スネークポンプと前記スラリータンク又はスラリー循環ラインとを接続する配管の長さを可及的に短く設定したことを特徴とする。
【発明の効果】
【００１４】
本発明によれば、高粘度の物質の移送に好適なスネークポンプによってスラリー原液がスラリータンクから定量切り出され、この切り出されたスラリー原液に希釈水が加えられて所定濃度まで希釈され、希釈されたスラリーが自給式ポンプによって移送されて被処理物に添加されるが、自給式ポンプには変形可能な弾性インペラが使用されているために該弾性インペラが停止することがなく、又、弾性インペラとケーシングとの間にクリアランスが無いため、スラリーが高圧力で定量的に移送される。
【００１５】
従って、スラリーの注入点までの距離が長い場合や注入速度が遅い場合であっても、配に詰まりを生じることなく、スラリーを被処理物に安定して定量的に添加することができるとともに、配管の定期的な洗浄作業等のメンテナンスが不要となり、メンテナンスフリーが実現される。又、スネークポンプとスラリータンク又はスラリー循環ラインとを接続する配管の長さを可及的に短く設定したため、該配管に高濃度（高粘度）のスラリーが詰まることがない。
【発明を実施するための最良の形態】
【００１６】
以下に本発明の実施の形態を添付図面に基づいて説明する。
【００１７】
＜実施の形態１＞
図１は本発明の実施の形態１に係るスラリーの定量添加装置の構成図であり、同図において、１はスラリー原液タンクであって、このスラリー原液タンク１内にはスラリー原液２が収容されている。尚、スラリー原液２とは、後述のように水で希釈する前の濃度の高いスラリーであって、固形物として消石灰を含む消石灰スラリー、水酸化マグネシウムを含む水酸化マグネシウムスラリー、酸化マグネシウムを含む酸化マグネシウムスラリー等である。
【００１８】
そして、上記スラリー原液タンク１の下部側方から導出する配管３にはスネークポンプ４が接続されており、該スネークポンプ４の出口から延びる配管５にはモノフレックスポンプ（商品名：日機装社製）６が接続されている。
【００１９】
ここで、上記スネークポンプ４は、粘度の高いスラリーの定量的な移送に好適なポンプであって、これとスラリー原液タンク１とを前記配管３の長さは可及的に短く設定されている。又、前記モノフレックスポンプ６は、ゴム等で構成された弾性インペラをケーシング内に回転自在に配して構成され、弾性インペラとケーシングの間にクリアランスが設けられていない自給式ポンプである。
【００２０】
ところで、前記スネークポンプ４の出口側、つまり前記配管５の途中には希釈水入口部７が形成され、この希釈水入口部７には給水ライン８が接続されている。又、前記モノフレックスポンプ６の出口からはスラリー移送ライン９が導出しており、このスラリー移送ライン９は不図示の排水・廃棄物処理装置に接続されている。
【００２１】
次に、以上の構成を有するスラリーの定量添加装置の作用について説明する。
【００２２】
前記スネークポンプ４及びモノフレックスポンプ６が駆動されると、スラリー原液タンク１内の高濃度のスラリー原液２が配管３を通ってスネークポンプ４によって定量的に切り出され、この切り出されたスラリー原液２は、スネークポンプ４から吐出されて配管５を移送される途中で、給水ライン８を経て希釈水入口部７から供給される希釈水によって希釈される。尚、前述のように、配管３の長さは可及的に短く設定されているため、高濃度のスラリー原液２が配管３内で詰まることがない。
【００２３】
ここで、排水・廃棄物処理装置において使用される薬剤としての消石灰スラリー等の濃度は通常５〜１５％であり、このような濃度となるように、スラリー原液２にはその量よりも以上（例えば、１〜５重量部）の希釈水が加えられる。
【００２４】
上述のように希釈水によって所定濃度まで希釈されたスラリーは、モノフレックスポンプ６によってスラリー移送ライン９を通って不図示の排水・廃棄物処理装置へと移送されて排水・廃棄物処理に供されるが、前述のように、モノフレックスポンプ６には変形可能な弾性インペラが使用されているために該弾性インペラが停止することがなく、又、弾性インペラとケーシングとの間にクリアランスが無いため、スラリーを高圧力で定量的にスラリー移送ライン９へと吐出することができる。
【００２５】
従って、本実施の形態によれば、スラリーの注入点までの距離が長い場合や注入速度が遅い場合であっても、配管３，５及びスラリー移送ライン９内の詰まりを生じることなく、スラリーを排水・廃棄物等の被処理物に定量的に添加することができるとともに、配管３，５やスラリー移送ライン９等の定期的な洗浄作業等のメンテナンスが不要となり、メンテナンスフリーを実現することができる。
【００２６】
＜実施の形態２＞
次に、本発明の実施の形態２を図２に基づいて説明する。
【００２７】
図２は本実施の形態に係るスラリーの定量添加装置の構成図であり、本図においては図１に示したものと同一要素には同一符号を付しており、以下、それらについての再度の説明は省略する。
【００２８】
本実施の形態では、スラリー原液タンク１内のスラリー原液２がスラリーポンプ１０によって循環ライン１１を循環せしめられる構成が採用されている。そして、循環ライン１１から分岐する配管３にスネークポンプ４が接続されており、他の構成は前記実施の形態１のそれと同じである。尚、本実施の形態においても、配管３の長さは可及的に短く設定されている。
【００２９】
而して、本実施の形態においては、循環ライン１１を循環するスラリー原液２が配管３を通ってスネークポンプ４によって定量的に切り出され、以後は前記実施の形態１と同様に、切り出されたスラリー原液２が希釈水によって希釈され、所定濃度のスラリーがモノフレックスポンプ６によってスラリー移送ライン９を通って不図示の排水・廃棄物処理装置へと移送されて排水・廃棄物処理に供される。
【００３０】
従って、本実施の形態においても、前記実施の形態１と同様の効果が得られる。
【００３１】
次に、本発明の実施例と比較例について説明するが、以下に説明する実施例は本発明を何ら制限する趣旨のものではない。
【実施例１】
【００３２】
本実施例では、本発明に係る定量添加装置を用いて濃度２０％の消石灰スラリーを廃棄物焼却飛灰の処理設備である飛灰混練機に定量添加した。この結果、配管内の詰まりを生じることなく、消石灰スラリーを定量的に安定して飛灰混練機に添加することができるとともに、配管の定期的な洗浄作業等のメンテナンスが不要となった。
【００３３】
＜比較例１＞
本比較例では、濃度２０％の消石灰スラリーをスネークポンプで移送して飛灰に直接注入したが、注入ラインがすぐに詰まってしまい、注入が不可能となった。
【００３４】
＜比較例２＞
本比較例では、前記比較例１と同様に、濃度２０％の消石灰スラリーをスネークポンプで移送して飛灰に直接注入したが、注入ラインが長く、しかも、最小添加量であって注入流速が低かったため、やはり注入ラインがすぐに詰まってしまい、注入が不可能となった。
【００３５】
＜比較例３＞
本比較例では、実施例１で使用したモノフレックスポンプに替えてダイヤフラムポンプやインペラとケーシングの間にクリアランスがあるマグネットポンプを用いたが、これらのポンプがすぐに閉塞を起し、スラリーの安定した注入ができなかった。
【産業上の利用可能性】
【００３６】
本発明は、排水や廃棄物等の被処理物に薬剤としてのスラリーを定量添加する方法及び装置に対して有用である。
【図面の簡単な説明】
【００３７】
【図１】本発明の実施の形態１に係るスラリーの定量添加装置の構成図である。
【図２】本発明の実施の形態１に係るスラリーの定量添加装置の構成図である。
【符号の説明】
【００３８】
１      スラリー原液タンク
２      スラリー原液
３      配管
４      スネークポンプ
５      配管
６      モノフレックスポンプ（自給式ポンプ）
７      希釈水入口部
８      給水ライン
９      スラリー移送ライン
１０    スラリーポンプ
１１    循環ライン
【図１】
2005342589.tif 000003
【図２】
2005342589.tif 000004